(57)【特許請求の範囲】
【請求項１】
冷媒が循環する冷媒回路（１ａ）を構成しており被空調空間の空調を行う複数の室内ユニット（３ａ、３ｂ、３ｃ、３ｄ）と、前記複数の室内ユニットを前記被空調空間の所定のエリアごとに割り振って前記複数の室内ユニットの運転制御を行う空調制御装置（１２）と、を有する空調装置において、
前記空調制御装置は、前記各エリアに対応するエリア識別枠に前記室内ユニットを割り振るとともに、前記室内ユニットが割り振られた前記各エリア識別枠に前記被空調空間の換気を行う換気装置（６ａ、６ｂ）を割り振るエリア登録処理を行わせるように構成されており、
前記空調制御装置は、前記室内ユニットが割り振られた前記複数のエリア識別枠のうち前記換気装置の割り振りがなされていない前記エリア識別枠が存在する場合には、前記複数の室内ユニットの運転を行えないようにする、
空調装置（１）。
【請求項２】
前記空調制御装置は、前記エリア登録処理を行わせるためのエリア登録モードを有しており、
前記空調制御装置は、前記室内ユニットが割り振られた前記複数のエリア識別枠のうち前記換気装置の割り振りがなされていない前記エリア識別枠が存在する場合には、前記エリア登録モードを終了できないようにする、
請求項１に記載の空調装置。
【請求項３】
前記空調制御装置は、前記各室内ユニットの構成機器を制御する室内制御装置（１３０ａ、１３０ｂ、１３０ｃ、１３０ｄ）と、前記複数の室内制御装置に対して前記室内ユニットが割り振られた前記エリア識別枠ごとに制御指令を行う集中制御装置（１００）と、を有しており、
前記集中制御装置が、前記エリア登録処理を行わせるように構成されている、
請求項１又は２に記載の空調装置。
【発明の詳細な説明】
【技術分野】
【０００１】
本発明は、空調装置、特に、冷媒が循環する冷媒回路を構成しており被空調空間の空調を行う複数の室内ユニットと、複数の室内ユニットを被空調空間の所定のエリアごとに割り振って複数の室内ユニットの運転制御を行う空調制御装置と、を有する空調装置に関する。
【背景技術】
【０００２】
従来より、特許文献１（特開２００１−７４２８３号公報）に示すように、可燃性の冷媒が循環する冷媒回路を有する空調装置の室内ユニットと、換気扇（換気装置）とを室内（被空調空間）に設置し、そして、可燃性の冷媒の漏洩を検知した際に、換気装置を運転することで可燃性の冷媒を被空調空間から排出するようにした構成が提案されている。
【発明の概要】
【発明が解決しようとする課題】
【０００３】
ここで、空調装置と換気装置とをビル等の建物に設置することによって、被空調空間の冷暖房及び換気を行うようにする場合には、実際には、空調装置と換気装置とが、互いに独立して設置される場合が多い。すなわち、換気装置としては、換気扇のようなファンを有するものや、排熱回収のための全熱交換器を有するもの、除湿や加湿のための除加湿器を有するもの等、様々な種類のものが存在しており、空調装置とは独立してユーザーのニーズに応じて選定されるため、設置現場において、異なる業者によって空調装置と換気装置とが独立して設置される場合が多いのである。
【０００４】
しかし、このような空調装置と換気装置とが独立して選定・設置される場合であっても、空調装置からの冷媒の漏洩によって、被空調空間における酸欠事故、着火事故（冷媒が微燃性又は可燃性を有する場合）又は中毒事故（冷媒が毒性を有する場合）が発生することを防止するために、冷媒が漏洩した際に換気を行い、被空調空間において酸欠濃度、可燃濃度又は毒性限界濃度を超えないようにすることが重要である。ところが、空調装置と換気装置とが独立して選定・設置されると、異なる業者によって設置作業が行われることもあり、両装置間の通信系統の接続が確実になされず、その結果、空調装置から冷媒が漏洩した際に換気装置を運転させることができないという状況が発生するおそれがある。
【０００５】
また、複数の室内ユニットを有する室内マルチ型の空調装置では、被空調空間の所定のエリアごとに室内ユニット及び換気装置を設置して、換気装置と連動させて運転することもある。例えば、オフィスにおいて勤務時間外に労働者が在室していない場合には、省エネルギのために空調装置及び換気装置を連動させて停止させることがある。
【０００６】
しかし、室内マルチ型の空調装置と換気装置とを連動させる構成においても、空調装置及び換気装置自体は、独立して設置して運転することが可能な装置である。すなわち、両装置間の通信系統の接続が行われている場合には、必要に応じて両装置を連動させて運転できるようになっているが、両装置間の通信系統の接続が行われていない場合には、互いに連動することはなく、両装置を独立して運転できるだけである。このように、室内マルチ型の空調装置と換気装置とが独立して選定・設置されることを考慮すると、特許文献１のように、空調装置からの冷媒の漏洩を検知した際に、換気装置を運転することで冷媒を被空調空間から排出する構成を採用しようとしても、設置現場において、両装置間の通信系統の接続が確実になされない状況が発生するおそれがある。このため、室内マルチ型の空調装置と換気装置とが独立して設置される構成においては、冷媒が漏洩した際に換気装置が運転される等の対策が確立しないままで空調装置の運転が行われるおそれがあり、空調装置からの冷媒の漏洩による事故が発生する可能性を排除することができないという問題がある。
【０００７】
本発明の課題は、冷媒が循環する冷媒回路を構成しており被空調空間の空調を行う複数の室内ユニットと、複数の室内ユニットを被空調空間の所定のエリアごとに割り振って複数の室内ユニットの運転制御を行う空調制御装置と、を有する空調装置において、空調装置からの冷媒の漏洩による事故の発生を確実に抑えることにある。
【課題を解決するための手段】
【０００８】
第１の観点にかかる空調装置は、冷媒が循環する冷媒回路を構成しており被空調空間の空調を行う複数の室内ユニットと、複数の室内ユニットを被空調空間の所定のエリアごとに割り振って複数の室内ユニットの運転制御を行う空調制御装置と、を有している。そして、空調制御装置は、各エリアに対応するエリア識別枠に室内ユニットを割り振るとともに、室内ユニットが割り振られた各エリア識別枠に被空調空間の換気を行う換気装置を割り振るエリア登録処理を行わせるように構成されている。しかも、空調制御装置は、室内ユニットが割り振られた複数のエリア識別枠のうち換気装置の割り振りがなされていないエリア識別枠が存在する場合には、複数の室内ユニットの運転を行えないようにする。
【０００９】
ここでは、上記のように、室内マルチ型の空調装置を構成する複数の室内ユニットを被空調空間の所定のエリアごとに割り振るエリア登録処理において、各エリアに対応するエリア識別枠に室内ユニットを割り振る処理だけでなく、室内ユニットが割り振られた各エリア識別枠に換気装置を割り振る処理が行われるようになっている。このため、ここでは、換気装置の割り振りがなされていないエリア識別枠が存在しない状態を確立することができ、設置現場において、空調装置と換気装置との間の通信系統の接続が確実になされるようになっている。
【００１０】
これにより、ここでは、室内マルチ型の空調装置と換気装置とが独立して設置される構成においても、冷媒が漏洩した際に換気装置が運転される等の対策が確実に確立した状態で空調装置の運転を行うことができ、空調装置からの冷媒の漏洩による事故の発生を確実に抑えることができる。
【００１１】
第２の観点にかかる空調装置は、第１の観点にかかる空調装置において、空調制御装置が、エリア登録処理を行わせるためのエリア準備モードを有している。空調制御装置は、室内ユニットが割り振られた複数のエリア識別枠のうち換気装置の割り振りがなされていないエリア識別枠が存在する場合には、エリア準備モードを終了できないようにする。
【００１２】
ここでは、上記のように、エリア準備モードにおいて、室内ユニットが割り振られた複数のエリア識別枠のうち換気装置の割り振りがなされていないエリア識別枠が存在する場合には、エリア準備モードを終了できないようにしている。このため、ここでは、空調運転を行う前に、エリア登録処理が確実に行われるようにして、冷媒が漏洩した際に換気装置が運転される等の対策が確実に確立した状態にすることができる。
【００１３】
第３の観点にかかる空調装置は、第１又は第２の観点にかかる空調装置において、空調制御装置が、各室内ユニットの構成機器を制御する室内制御装置と、複数の室内制御装置に対してエリア識別枠ごとに制御指令を行う集中制御装置と、を有している。集中制御装置は、エリア登録処理を行わせるように構成されている。
【００１４】
ここでは、上記のように、空調制御装置のうち集中制御装置がエリア登録処理を行わせるように構成されている。このため、ここでは、エリア識別枠ごとに制御指令を行う、すなわち、エリア制御を行う集中制御装置を介して、設置現場において、空調装置と換気装置との間の通信系統の接続が確実になされるようにできる。
【発明の効果】
【００１５】
以上の説明に述べたように、本発明によれば、室内マルチ型の空調装置と換気装置とが独立して設置される構成においても、冷媒が漏洩した際に換気装置が運転される等の対策が確実に確立した状態で空調装置の運転を行うことができ、空調装置からの冷媒の漏洩による事故の発生を確実に抑えることができる。
【図面の簡単な説明】
【００１６】
【図１】本発明の一実施形態にかかる空調装置を有する空調換気システムの全体構成図である。
【図２】空調換気システムの通信系統図である。
【図３】空調装置の機器配管系統図である。
【図４】換気装置の機器構成図である。
【図５】空調換気システムの制御ブロック図（集中制御装置以外を詳細に図示）である。
【図６】空調換気システムの制御ブロック図（集中制御装置を詳細に図示）である。
【図７】現場設置後における各装置間の通信系統の接続処理を示すフローチャートである。
【図８】エリア登録処理を示すフローチャートである。
【図９】エリア識別枠を作成する際の作業画面の表示例である。
【図１０】エリア識別枠に各装置を割り振る際の作業画面の表示例である。
【図１１】換気装置の割り振りがなされていないエリア識別枠が存在したままでエリア登録処理を終了しようとした際の作業画面の表示例である。
【図１２】運転許可後のエリアと各装置との対応関係を示す図である。
【図１３】室内ユニットと換気装置との間をアダプタ装置を介して通信接続する場合における空調換気システムの制御ブロック図である。
【発明を実施するための形態】
【００１７】
以下、本発明にかかる空調装置の実施形態について、図面に基づいて説明する。尚、本発明にかかる空調装置の実施形態の具体的な構成は、下記の実施形態及びその変形例に限られるものではなく、発明の要旨を逸脱しない範囲で変更可能である。
【００１８】
（１）構成
＜全体＞
図１は、本発明の一実施形態にかかる空調装置１を有する空調換気システムの全体構成図である。図２は、空調換気システムの通信系統図である。
【００１９】
空調換気システムは、主として、被空調空間の冷房及び暖房を行うことが可能な空調装置１と、被空調空間の換気を行う換気装置６ａ、６ｂと、を有するシステムである。また、空調換気システムは、冷媒を検知する冷媒漏洩検知装置１１ａ、１１ｂを有している。
【００２０】
空調装置１は、複数（ここでは、４つ）の室内ユニット３ａ、３ｂ、３ｃ、３ｄが室外ユニット２に接続されることによって構成されており冷媒が循環する冷媒回路１ａと、室内ユニット３ａ、３ｂ、３ｃ、３ｄ及び室外ユニット２の運転制御を行う制御装置としての空調制御装置１２と、を有する室内マルチ型の空調装置である。ここで、室内ユニット３ａ、３ｂは、被空調空間の所定のエリアの１つであるエリアＳ１の冷房及び暖房を行うために、エリアＳ１の天井等に設置されており、室内ユニット３ｃ、３ｄは、被空調空間の所定のエリアの１つであるエリアＳ２の冷房及び暖房を行うために、エリアＳ２の天井等に設置されている。室外ユニット２は、建物の屋上等に設置されている。冷媒回路１ａは、複数の室内ユニット３ａ、３ｂ、３ｃ、３ｄと室外ユニット２とを冷媒連絡管４、５を介して接続することによって構成されている。冷媒回路１ａには、冷媒として、Ｒ３２のような微燃性を有する冷媒、又は、プロパンのような可燃性を有する冷媒、又は、アンモニアのような毒性を有する冷媒が封入されている。空調制御装置１２は、複数の室内ユニット３ａ、３ｂ、３ｃ、３ｄを被空調空間の所定のエリアＳ１、Ｓ２ごとに割り振って複数の室内ユニット３ａ、３ｂ、３ｃ、３ｄ等の運転制御を行う。空調制御装置１２は、複数の室内制御装置１３０ａ、１３０ｂ、１３０ｃ、１３０ｄと、室外制御装置１２０と、集中制御装置１００とが通信線を介して接続されることによって構成されている。各室内制御装置１３０ａ、１３０ｂ、１３０ｃ、１３０ｄは、対応する室内ユニット３ａ、３ｂ、３ｃ、３ｄに設けられており、各室内ユニット３ａ、３ｂ、３ｃ、３ｄに対応してリモコンが設けられる場合には、そのリモコンも室内制御装置１３０ａ、１３０ｂ、１３０ｃ、１３０ｄに含まれる。室外制御装置１２０は、室外ユニット２に設けられている。集中制御装置１００は、例えば、被空調空間を形成する建物内（ここでは、エリアＳ２）に設けられている。
【００２１】
換気装置６ａ、６ｂは、複数（ここでは、２つ）あり、各エリアＳ１、Ｓ２に対応して設けられている。ここで、換気装置６ａは、エリアＳ１の換気を行うために、エリアＳ１の天井裏等に設置されており、換気装置６ｂは、エリアＳ２の換気を行うために、エリアＳ２の天井裏等に設置されている。各換気装置６ａ、６ｂには、換気制御装置１６０ａ、１６０ｂが設けられており、各換気装置６ａ、６ｂに対応してリモコンが設けられる場合には、そのリモコンも換気制御装置１６０ａ、１６０ｂに含まれる。換気制御装置１６０ａ、１６０ｂは、空調装置１との連動を可能にするために、通信線を介して、空調制御装置１２の室内制御装置１３０ａ、１３０ｂ、１３０ｃ、１３０ｄに接続されている。
【００２２】
冷媒漏洩検知装置１１ａ、１１ｂは、複数（ここでは、２つ）あり、各エリアＳ１、Ｓ２に対応して設けられている。ここで、冷媒漏洩検知装置１１ａは、室内ユニット３ａ、３ｂからエリアＳ１で冷媒が漏洩しているかどうかを検知するために、エリアＳ１に設けられており、冷媒漏洩検知装置１１ｂは、室内ユニット３ｃ、３ｄからエリアＳ２で冷媒が漏洩しているかどうかを検知するために、エリアＳ２に設けられている。各冷媒漏洩検知装置１１ａ、１１ｂには、検知制御装置１１０ａ、１１０ｂが設けられており、エリアＳ１、Ｓ２で冷媒が漏洩しているかどうかを空調装置１に知らせるために、通信線を介して、空調制御装置１２の室内制御装置１３０ａ、１３０ｂ、１３０ｃ、１３０ｄに接続されている。
【００２３】
＜空調装置＞
図３は、空調装置１の機器配管系統図である。ここで、図３においては、室外ユニット２及び室内ユニット３ａ、３ｂの機器配管構成を詳細に図示し、室内ユニット３ｃ、３ｄの機器配管構成の図示を省略している。
【００２４】
−室外ユニット−
室外ユニット２は、上記のように、冷媒連絡管４、５を介して室内ユニット３ａ、３ｂ、３ｃ、３ｄに接続されており、冷媒回路１ａの一部を構成している。
【００２５】
室外ユニット２は、主として、圧縮機２１と、切換機構２３と、室外熱交換器２４とを有している。
【００２６】
圧縮機２１は、冷媒を圧縮する機構であり、ここでは、ケーシング（図示せず）内に収容されたロータリ式やスクロール式等の容積式の圧縮要素（図示せず）が、同じくケーシング内に収容された圧縮機モータ２２によって駆動される密閉式圧縮機が採用されている。
【００２７】
切換機構２３は、室外熱交換器２４を冷媒の放熱器として機能させる冷房運転状態と室外熱交換器２４を冷媒の蒸発器として機能させる暖房運転状態とを切り換え可能な四路切換弁である。ここで、冷房運転状態は、圧縮機２１の吐出側と室外熱交換器２３のガス側とを連通させるとともに、ガス冷媒連絡管５と圧縮機２１の吸入側とを連通させる切り換え状態である（図３の切換機構２３の実線を参照）。暖房運転状態は、圧縮機２１の吐出側とガス冷媒連絡管５を連通させるとともに、室外熱交換器２３のガス側と圧縮機２１の吸入側とを連通させる切り換え状態である（図３の切換機構２３の破線を参照）。尚、切換機構２３は、四路切換弁に限定されるものではなく、例えば、複数の電磁弁を組み合わせる等によって、上記と同様の冷媒の流れの方向を切り換える機能を有するように構成したものであってもよい。
【００２８】
室外熱交換器２４は、冷媒と室外空気（ＯＡ）との熱交換を行うことで冷媒の放熱器又は蒸発器として機能する熱交換器である。この室外熱交換器２４において冷媒と熱交換を行う室外空気（ＯＡ）は、室外ファンモータ２６によって駆動される室外ファン２５によって室外熱交換器２４に供給されるようになっている。
【００２９】
−室内ユニット−
室内ユニット３ａ、３ｂ、３ｃ、３ｄは、上記のように、冷媒連絡管４、５を介して室外ユニット２に接続されており、冷媒回路１ａの一部を構成している。尚、以下の説明では、室内ユニット３ａの構成について説明し、室内ユニット３ｂ、３ｃ、３ｄの構成については、添字「ａ」を「ｂ」、「ｃ」、「ｄ」に読み替えることで説明を省略する。
【００３０】
室内ユニット３ａは、主として、室内膨張機構３１ａと、室内熱交換器３２ａとを有している。
【００３１】
室内膨張機構３１ａは、開度制御を行うことで室内熱交換器３２ａを流れる冷媒の流量を可変することが可能な電動膨張弁である。
【００３２】
室内熱交換器３２ａは、冷媒と室内空気（ＲＡ）との熱交換を行うことで冷媒の蒸発器又は放熱器として機能する熱交換器である。この室内熱交換器３２ａにおいて冷媒と熱交換を行う室内空気（ＲＡ）は、室内ファンモータ３４ａによって駆動される室内ファン３３ａによって室内熱交換器３２ａに供給されるようになっている。
【００３３】
＜換気装置＞
図４は、換気装置６ａ、６ｂの機器構成図である。
【００３４】
ここでは、換気装置６ａ、６ｂとして、熱交換器６２ａ、６２ｂを有する換気装置が採用されている。尚、以下の説明では、換気装置６ａの構成について説明し、換気装置６ｂの構成については、添字「ａ」を「ｂ」に読み替えることで説明を省略する。
【００３５】
換気装置６ａは、主として、室外空気（ＯＡ）を被空調空間（ここでは、エリアＳ１）に取り入れるための取入口に接続された取入ダクト７、室内空気（ＯＡ）を供給空気（ＳＡ）として供給する給気口に接続された給気ダクト８ａ、室内空気（ＲＡ）をエリアＳ１から取り出すための取出口に接続された取出ダクト９ａ、及び、室内空気（ＲＡ）を排出空気（ＥＡ）として室外に排出するための排出口に接続された排気ダクト１０に接続される装置本体６１ａを有している。
【００３６】
装置本体６１ａには、熱交換器６２ａが設けられるとともに、互いに区画された２つの通風路６３ａ、６４ａが熱交換器６２ａを横切るように形成されている。ここで、熱交換器６２ａは、２つの空気流（ここでは、室内空気と室外空気）の間で顕熱と潜熱とを同時に熱交換する全熱交換器であり、通風路６３ａ、６４ａを跨るように設けられている。一方の通風路６３ａは、その一端が取入ダクト７に接続されるとともに他端が給気ダクト８ａに接続されており、室外からエリアＳ１に向けて空気を流すための給気路を構成している。他方の通風路６４ａは、その一端が取出ダクト９ａに接続されるとともに他端が排気ダクト１０に接続されており、エリアＳ１から室外に向けて空気を流すための排気路を構成している。また、給気路６３ａには、室外からエリアＳ１に向かう空気流を生成するために、給気ファンモータ６６ａによって駆動される給気ファン６５ａが設けられ、排気路６４ａには、エリアＳ１から室外に向かう空気流を生成するために、排気ファンモータ６８ａによって駆動される排気ファン６７ａが設けられている。給気ファン６５ａ及び排気ファン６７ａは、空気流に対して熱交換器６２ａの下流側に配置されている。
【００３７】
＜制御装置＞
図５は、空調換気システムの制御ブロック図（集中制御装置１００以外を詳細に図示）であり、図６は、空調換気システムの制御ブロック図（集中制御装置１００を詳細に図示）である。尚、図５においても、室内制御装置１３０ｂ、１３０ｃ、１３０ｄ、換気制御装置１６０ｂ及び検知制御装置１１０ｂについては、各部の図示を省略している。
【００３８】
−室外制御装置−
室外制御装置１２０は、室外ユニット２の構成機器の制御を行っており、空調制御装置１２の一部を構成している。室外制御装置１２０は、主として、室外制御部１２１と、室外通信部１２２と、室外記憶部１２３とを有している。
【００３９】
室外制御部１２１は、室外通信部１２２及び室外記憶部１２３に接続されている。室外通信部１２２は、室内制御装置１３０ａ、１３０ｂ、１３０ｃ、１３０ｄや集中制御装置１００との間で制御データ等の通信を行う。室外記憶部１２３は、制御データ等を記憶する。そして、室外制御部１２１は、室外通信部１２２や室外記憶部１２３を介して、制御データ等の通信や読み書きを行いつつ、室外ユニット２に設けられた圧縮機等の機器２１、２３、２５の運転制御を行う。
【００４０】
−室内制御装置−
室内制御装置１３０ａ、１３０ｂ、１３０ｃ、１３０ｄは、それぞれ、対応する室内ユニット３ａ、３ｂ、３ｃ、３ｄの構成機器の制御を行っており、空調制御装置１２の一部を構成している。室内制御装置１３０ａ、１３０ｂ、１３０ｃ、１３０ｄは、それぞれ、主として、室内制御部１３１ａ、１３１ｂ、１３１ｃ、１３１ｄと、室内通信部１３２ａ、１３２ｂ、１３２ｃ、１３２ｄと、室内記憶部１３３ａ、１３３ｂ、１３３ｃ、１３３ｄとを有している。尚、以下の説明では、室内制御装置１３０ａの構成について説明し、室内制御装置１３０ｂ、１３０ｃ、１３０ｄの構成については、添字「ａ」を「ｂ」、「ｃ」、「ｄ」に読み替えることで説明を省略する。
【００４１】
室内制御部１３１ａは、室内通信部１３２ａ及び室内記憶部１３３ａに接続されている。室内通信部１３２ａは、室外制御装置１２０や他の室内制御装置１３０ｂ、１３０ｃ、１３０ｄ、換気制御装置１６０ａ、検知制御装置１１０ａ、集中制御装置１００との間で制御データ等の通信を行う。室内記憶部１３３ａは、制御データ等を記憶する。そして、室内制御部１３１ａは、室内通信部１３２ａや室内記憶部１３３ａを介して、制御データ等の通信や読み書きを行いつつ、室内ユニット３ａに設けられた室内膨張機構等の機器３１ａ、３３ａの運転制御を行う。
【００４２】
−換気制御装置−
換気制御装置１６０ａ、１６０ｂは、それぞれ、対応する換気装置６ａ、６ｂの構成機器の制御を行っている。換気制御装置１６０ａ、１６０ｂは、それぞれ、主として、換気制御部１６１ａ、１６１ｂと、換気通信部１６２ａ、１６２ｂと、換気記憶部１６３ａ、１６３ｂと、換気操作部１６４ａ、１６４ｂとを有している。尚、以下の説明では、換気制御装置１６０ａの構成について説明し、換気制御装置１６０ｂの構成については、添字「ａ」を「ｂ」に読み替えることで説明を省略する。
【００４３】
換気制御部１６１ａは、換気通信部１６２ａ、換気記憶部１６３ａ及び換気操作部１６４ａに接続されている。換気通信部１６２ａは、室内制御装置１３０ａ、１３０ｂや集中制御装置１００との間で制御データ等の通信を行う。換気記憶部１６３ａは、制御データ等を記憶する。換気操作部１６４ａは、制御指令等の入力を行う。そして、換気制御部１６１ａは、換気通信部１６２ａや換気記憶部１６３ａ、換気操作部１６４ａを介して、制御データ等の読み書きや通信を行いつつ、換気装置６ａに設けられたファン等の機器６５ａ、６７ａの運転制御を行う。
【００４４】
−検知制御装置−
検知制御装置１１０ａ、１１０ｂは、それぞれ、対応する冷媒漏洩検知装置１１ａ、１１ｂの構成機器の制御、すなわち、冷媒検知部１１４ａ、１１４ｂによる冷媒の検知動作を行っている。検知制御装置１１０ａ、１１０ｂは、それぞれ、主として、検知制御部１１１ａ、１１１ｂと、検知通信部１１２ａ、１１２ｂと、検知記憶部１１３ａ、１１３ｂと、を有している。尚、以下の説明では、検知制御装置１１０ａの構成について説明し、検知制御装置１１０ｂの構成については、添字「ａ」を「ｂ」に読み替えることで説明を省略する。
【００４５】
検知制御部１１１ａは、検知通信部１１２ａ及び検知記憶部１１３ａに接続されている。検知通信部１１２ａは、室内制御装置１３０ａ、１３０ｂや集中制御装置１００との間で制御データ等の通信を行う。検知記憶部１１３ａは、制御データ等を記憶する。そして、検知制御部１１１ａは、検知通信部１１２ａや検知記憶部１１３ａを介して、制御データ等の読み書きや通信を行いつつ、冷媒漏洩検知装置１１ａ、１１ｂの冷媒検知部１１４ａ等による検知動作を行う。
【００４６】
−集中制御装置−
集中制御装置１００は、運転指令等の入力を受け付けて、複数の室内ユニット３ａ、３ｂ、３ｃ、３ｄの室内制御装置１３０ａ、１３０ｂ、１３０ｃ、１３０ｄ等に制御指令を行うとともに、運転表示等を行っており、空調制御装置１２の一部を構成している。集中制御装置１００は、主として、集中制御部１０１と、集中通信部１０２と、集中記憶部１０３と、集中操作部１０４と、集中表示部１０５とを有している。
【００４７】
集中制御部１０１は、集中通信部１０２、集中記憶部１０３、集中操作部１０４及び集中表示部１０５に接続されている。集中通信部１０２は、室内制御装置１３０ａ、１３０ｂ、１３０ｃ、１３０ｄや換気制御装置１６０ａ、１６０ｂ、検知制御装置１１０ａ、１１０ｂとの間で制御データ等の通信を行う。集中記憶部１０３は、制御データ等を記憶する。集中操作部１０４は、制御指令等の入力を行う。集中表示部１０５は、運転表示等を行う。そして、集中制御部１０１は、集中操作部１０４を介して制御指令等の入力を受け付けて、集中記憶部１０３に制御データ等の読み書きを行い、集中表示部１０５に運転表示等を行いつつ、集中通信部１０２を介して、室外制御装置１２０や室内制御装置１３０ａ、１３０ｂ、１３０ｃ、１３０ｄ、換気制御装置１６０ａ、１６０ｂ、検知制御装置１１０ａ、１１０ｂに制御指令等を行う。尚、室外制御装置１２０や室内制御装置１３０ａ、１３０ｂ、１３０ｃ、１３０ｄ、換気制御装置１６０ａ、１６０ｂ、検知制御装置１１０ａ、１１０ｂに制御指令等を行う手段として、集中制御部１０１には、集中指令部１０６が設けられている。
【００４８】
また、集中制御部１０１には、ユニット特定部１０７と、エリア登録部１０８とが設けられている。
【００４９】
ユニット特定部１０７は、室内ユニット３ａ、３ｂ、３ｃ、３ｄ、換気装置６ａ、６ｂ及び冷媒漏洩検知装置１１ａ、１１ｂのそれぞれに対して、互いを区別するユニット番号を付与するユニット特定処理を行う制御部である。具体的には、ユニット特定部１０７は、空調装置１や換気装置６ａ、６ｂ、冷媒漏洩検知装置１１ａ、１１ｂの現場設置後でかつ試運転を行う前に、集中通信部１０２を介して、室内制御装置１３０ａ、１３０ｂ、１３０ｃ、１３０ｄや換気制御装置１６０ａ、１６０ｂ、検知制御装置１１０ａ、１１０ｂと通信を行い、各制御装置が制御対象とする装置の種別（ここでは、空調装置の室内ユニット、換気装置、冷媒漏洩検知装置のいずれであるか）を認識した上で、ユニット番号を室内制御装置１３０ａ、１３０ｂ、１３０ｃ、１３０ｄや換気制御装置１６０ａ、１６０ｂ、検知制御装置１１０ａ、１１０ｂに付与する。ここで、ユニット番号を付与する処理は、ユニット特定部１０７によって自動的に付与されるものであってもよいし、また、集中操作部１０４介した入力を通じてユニット特定部１０７によって付与されるものであってもよい。また、各室内ユニット３ａ、３ｂ、３ｃ、３ｄに対応してリモコンが設けられる場合には、このようなリモコンから手動でユニット番号を付与するようにしてもよい。そして、ユニット特定部１０７等によって付与されたユニット番号は、各装置の種別を示す機種コードとともに、集中記憶部１０３に記憶される。また、ユニット特定部１０７等によって各装置に付与されたユニット番号は、室内記憶部１３３ａ、１３３ｂ、１３３ｃ、１３３ｄ、換気記憶部１６３ａ、１６３ｂ及び検知記憶部１１３ａ、１１３ｂにも記憶される。
【００５０】
エリア登録部１０８は、被空調空間の所定のエリア（ここでは、エリアＳ１、Ｓ２）に対応するエリア識別枠（ここでは、Ｇ１、Ｇ２）に室内ユニット３ａ、３ｂ、３ｃ、３ｄを割り振るとともに、室内ユニット３ａ、３ｂ、３ｃ、３ｄが割り振られた各エリア識別枠Ｇ１、Ｇ２に被空調空間の換気を行う換気装置６ａ、６ｂを割り振るエリア登録処理を行わせる制御部である。また、ここでは、エリア登録部１０８は、エリア登録処理において、室内ユニット３ａ、３ｂ、３ｃ、３ｄが割り振られた各エリア識別枠Ｇ１、Ｇ２に冷媒が漏洩しているかどうかを検知する冷媒漏洩検知装置１１ａ、１１ｂを割り振る処理も行わせる。具体的には、エリア登録部１０８は、まず、被空調空間の所定のエリア（ここでは、エリアＳ１、Ｓ２）に対応するエリア識別枠（ここでは、Ｇ１、Ｇ２）を作成する。ここで、エリア識別枠を作成する処理は、集中操作部１０４を介した入力を通じてエリア登録部１０８によって行われる。次に、エリア登録部１０８は、作成されたエリア識別枠に対して、ユニット番号が付与された室内ユニット３ａ、３ｂ、３ｃ、３ｄや換気装置６ａ、６ｂ、冷媒漏洩検知装置１１ａ、１１ｂを割り振る処理を行う。ここで、エリア識別枠に各装置を割り振る処理は、集中操作部１０４を介した入力によってエリア登録部１０８を通じて行われ、エリア登録部１０８によって得られた各装置とエリア識別枠との対応関係は、ユニット番号及び機種コードと関連付けたデータとして、集中記憶部１０３に記憶される。また、エリア登録部１０８は、集中通信部１０２を介して、室内制御装置１３０ａ、１３０ｂ、１３０ｃ、１３０ｄや換気制御装置１６０ａ、１６０ｂ、検知制御装置１１０ａ、１１０ｂと通信を行い、割り振られたエリア識別枠を室内制御装置１３０ａ、１３０ｂ、１３０ｃ、１３０ｄや換気制御装置１６０ａ、１６０ｂ、検知制御装置１１０ａ、１１０ｂに付与する。そして、エリア登録部１０８によって割り振られたエリア識別枠は、ユニット番号と関連付けたデータとして、室内記憶部１３３ａ、１３３ｂ、１３３ｃ、１３３ｄ、換気記憶部１６３ａ、１６３ｂ及び検知記憶部１１３ａ、１１３ｂに記憶される。また、室内記憶部１３３ａ、１３３ｂ、１３３ｃ、１３３ｄには、同じエリア識別枠に割り当てられた換気装置６ａ、６ｂ及び冷媒漏洩検知装置１１ａ、１１ｂのユニット番号及び機種コードも記憶される。尚、ここでは、エリア登録処理は、ユニット特定処理が行われた後に開始されるエリア準備モードにおいて行われるが、室内ユニット３ａ、３ｂ、３ｃ、３ｄが割り振られた複数のエリア識別枠（ここでは、Ｇ１、Ｇ２）のうち換気装置６ａ、６ｂの割り振りがなされていないエリア識別枠が存在する場合には、このエリア準備モードを終了できないようになっている。
【００５１】
（２）運転
空調装置１、換気装置６ａ、６ｂ及び冷媒漏洩検知装置１１ａ、１１ｂを有する空調換気システムでは、以下の運転が行われる。
【００５２】
−空調運転−
まず、冷房運転について説明する。空調制御装置１２（集中制御装置１００）から空調装置１に冷房運転の指示がなされると、切換機構２３が冷房運転状態（図３の切換機構２３の実線で示された状態）に切り換えられて、圧縮機２１、室外ファン２５が起動する。また、冷房運転を行う被空調空間としてエリアＳ１が指定される場合には、室内ファン３３ａ、３３ｂが起動し、冷房運転を行う被空調空間としてエリアＳ２が指定される場合には、室内ファン３３ｃ、３３ｄが起動し、冷房運転を行う被空調空間としてエリアＳ１、Ｓ２の両方が指定される場合には、室内ファン３３ａ、３３ｂ、３３ｃ、３３ｄが起動する。
【００５３】
すると、冷媒回路１ａ内の低圧のガス冷媒は、切換機構２３を経由して、室外熱交換器２４に送られる。室外熱交換器２４に送られた高圧のガス冷媒は、冷媒の放熱器として機能する室外熱交換器２４において、室外ファン２５によって供給される室外空気（ＯＡ）と熱交換を行って冷却されることによって凝縮して、高圧の液冷媒となる。この高圧の液冷媒は、液冷媒連絡管４を経由して、エリアＳ１やエリアＳ２の冷房を行うために、室外ユニット２から室内ユニット３ａ、３ｂや室内ユニット３ｃ、３ｄに送られる。
【００５４】
室内ユニット３ａ、３ｂや室内ユニット３ｃ、３ｄに送られた高圧の液冷媒は、室内膨張機構３１ａ、３１ｂや室内膨張機構３１ｃ、３１ｄによって減圧されて、低圧の気液二相状態の冷媒となる。この低圧の気液二相状態の冷媒は、室内熱交換器３２ａ、３２ｂや室内熱交換器３２ｃ、３２ｄに送られる。室内熱交換器３２ａ、３２ｂや室内熱交換器３２ｃ、３２ｄに送られた低圧の気液二相状態の冷媒は、冷媒の蒸発器として機能する室内熱交換器３２ａ、３２ｂや室内熱交換器３２ｃ、３２ｄにおいて、室内ファン３３ａ、３３ｂや室内ファン３３ｃ、３３ｄによってエリアＳ１やエリアＳ２から供給される室内空気（ＲＡ）と熱交換を行って加熱されることによって蒸発して、低圧のガス冷媒となる。この低圧のガス冷媒は、ガス冷媒連絡管５を経由して、室内ユニット３ａ、３ｂや室内ユニット３ｃ、３ｄから室外ユニット２に送られる。一方、室内熱交換器３２ａ、３２ｂや室内熱交換器３２ｃ、３２ｄにおいて冷却された室内空気（ＲＡ）は、エリアＳ１やエリアＳ２に送られ、これにより、エリアＳ１やエリアＳ２の冷房が行われる。
【００５５】
室外ユニット２に送られた低圧のガス冷媒は、切換機構２３を経由して、再び、圧縮機２１に吸入される。
【００５６】
次に、暖房運転について説明する。空調制御装置１２（集中制御装置１００）から空調装置１に暖房運転の指示がなされると、切換機構２３が暖房運転状態（図３の切換機構２３の破線で示された状態）に切り換えられて、圧縮機２１、室外ファン２５が起動する。また、暖房運転を行う被空調空間としてエリアＳ１が指定される場合には、室内ファン３３ａ、３３ｂが起動し、暖房運転を行う被空調空間としてエリアＳ２が指定される場合には、室内ファン３３ｃ、３３ｄが起動し、暖房運転を行う被空調空間としてエリアＳ１、Ｓ２の両方が指定される場合には、室内ファン３３ａ、３３ｂ、３３ｃ、３３ｄが起動する。
【００５７】
すると、冷媒回路１ａ内の低圧のガス冷媒は、切換機構２３及びガス冷媒連絡管５を経由して、エリアＳ１やエリアＳ２の暖房を行うために、室外ユニット２から室内ユニット３ａ、３ｂや室内ユニット３ｃ、３ｄに送られる。
【００５８】
室内ユニット３ａ、３ｂや室内ユニット３ｃ、３ｄに送られた高圧のガス冷媒は、室内熱交換器３２ａ、３２ｂや室内熱交換器３２ｃ、３２ｄに送られる。室内熱交換器３２ａ、３２ｂや室内熱交換器３２ｃ、３２ｄに送られた高圧のガス冷媒は、冷媒の放熱器として機能する室内熱交換器３２ａ、３２ｂや室内熱交換器３２ｃ、３２ｄにおいて、室内ファン３３ａ、３３ｂや室内ファン３３ｃ、３３ｄによってエリアＳ１やエリアＳ２から供給される室内空気（ＲＡ）と熱交換を行って冷却されることによって凝縮して、高圧の液冷媒となる。この高圧の液冷媒は、室内膨張機構３１ａ、３１ｂや室内膨張機構３１ｃ、３１ｄによって減圧される。室内膨張機構３１ａ、３１ｂや室内膨張機構３１ｃ、３１ｄによって減圧された冷媒は、液冷媒連絡管４を経由して、室内ユニット３ａ、３ｂや室内ユニット３ｃ、３ｄから室外ユニット２に送られる。一方、室内熱交換器３２ａ、３２ｂや室内熱交換器３２ｃ、３２ｄにおいて過熱された室内空気（ＲＡ）は、エリアＳ１やエリアＳ２に送られ、これにより、エリアＳ１やエリアＳ２の暖房が行われる。
【００５９】
室外ユニット２に送られた冷媒は、室外熱交換器２４に送られる。室外熱交換器２４に送られた冷媒は、冷媒の蒸発器として機能する室外熱交換器２４において、室外ファン２５によって供給される室外空気（ＯＡ）と熱交換を行って加熱されることによって蒸発して、低圧のガス冷媒となる。この低圧のガス冷媒は、切換機構２３を経由して、再び、圧縮機２１に吸入される。
【００６０】
−換気運転−
まず、エリアＳ１の換気運転について説明する。換気制御装置１６０ａから換気装置６ａに換気運転の指示がなされると、給気ファン６５ａ及び排気ファン６７ａが起動する。ここで、換気運転の指示には、換気制御装置１６０ａの換気操作部１６４ａからの入力による場合と、空調制御装置１２からの要求による場合とがある。
【００６１】
すると、取入ダクト７を通じて室外から装置本体６１ａに流入した室外空気（ＯＡ）と、取出ダクト９ａを通じてエリアＳ１から装置本体６１ａに流入した室内空気（ＲＡ）とが、熱交換器６２ａにおいて、熱交換を行う。そして、熱交換器６２ａにおいて熱交換を行った室外空気（ＯＡ）は、給気ダクト８ａを通じて装置本体６１ａからエリアＳ１に供給空気（ＳＡ）として供給され、熱交換器６２ａにおいて熱交換を行った室内空気（ＲＡ）は、排気ダクト１０を通じて装置本体６１ａから室外に排出空気（ＥＡ）として排出される。
【００６２】
次に、エリアＳ２の換気運転について説明する。換気制御装置１６０ｂから換気装置６ｂに換気運転の指示がなされると、給気ファン６５ｂ及び排気ファン６７ｂが起動する。ここで、換気運転の指示には、換気制御装置１６０ｂの換気操作部１６４ｂからの入力による場合と、空調制御装置１２からの要求による場合とがある。
【００６３】
すると、取入ダクト７を通じて室外から装置本体６１ｂに流入した室外空気（ＯＡ）と、取出ダクト９ｂを通じてエリアＳ２から装置本体６１ｂに流入した室内空気（ＲＡ）とが、熱交換器６２ｂにおいて、熱交換を行う。そして、熱交換器６２ｂにおいて熱交換を行った室外空気（ＯＡ）は、給気ダクト８ｂを通じて装置本体６１ｂからエリアＳ２に供給空気（ＳＡ）として供給され、熱交換器６２ｂにおいて熱交換を行った室内空気（ＲＡ）は、排気ダクト１０を通じて装置本体６１ｂから室外に排出空気（ＥＡ）として排出される。
【００６４】
−冷媒排出運転−
ここでは、空調装置１からの冷媒の漏洩によって、エリアＳ１、Ｓ２における酸欠事故、着火事故（冷媒が微燃性又は可燃性を有する場合）又は中毒事故（冷媒が毒性を有する場合）が発生することを防止するために、冷媒排出運転を行えるようになっている。すなわち、空調装置１から冷媒が漏洩して冷媒漏洩検知装置１１ａや冷媒漏洩検知装置１１ｂが冷媒を検知した場合に、冷媒が検知されたエリアＳ１の空調を受け持つ室内ユニット３ａ、３ｂや冷媒が検知されたエリアＳ２の空調を受け持つ室内ユニット３ｃ、３ｄから冷媒が漏洩しているものと判断して、冷媒が検知されたエリアＳ１の換気装置６ａやエリアＳ２の換気装置６ｂを強制的に運転することによって、冷媒が検知されたエリアＳ１や冷媒が検知されたエリアＳ２から冷媒を排出するのである。
【００６５】
まず、エリアＳ１の冷媒漏洩検知装置１１ａが冷媒を検知した場合について説明する。エリアＳ１の冷媒検知を受け持つ冷媒漏洩検知装置１１ａが冷媒を検知すると、室内制御装置１３０ａ、１３０ｂを介して、その信号を受けた空調制御装置１２（ここでは、集中制御装置１００）が、エリアＳ１の空調を受け持つ室内ユニット３ａ、３ｂの室内制御装置１３０ａ、１３０ｂ及びエリアＳ１の換気を受け持つ換気装置６ａの換気制御装置１６０ａに冷媒排出運転を行うように指示する。ここで、換気制御装置１６０ａへの冷媒排出運転の指示は、室内制御装置１３０ａ、１３０ｂを介して行われる。
【００６６】
すると、室内制御装置１３０ａ、１３０ｂは、室内膨張機構３１ａ、３１ｂを閉止するとともに、室外ユニット２の室外制御装置１２０に対して空調運転（冷房運転や暖房運転）を停止するように指示する。室外制御装置１２０は、圧縮機２１や室外ファン２５を停止させ、これにより、空調装置１が停止する。また、換気制御装置１６０ａは、換気運転を行っていない場合には、給気ファン６５ａ及び排気ファン６７ａを起動することで換気運転を開始し、換気運転を行っている場合には、換気運転を継続することによって、エリアＳ１から冷媒を排出する。
【００６７】
次に、エリアＳ２の冷媒漏洩検知装置１１ｂが冷媒を検知した場合について説明する。エリアＳ２の冷媒検知を受け持つ冷媒漏洩検知装置１１ｂが冷媒を検知すると、室内制御装置１３０ｃ、１３０ｄを介して、その信号を受けた空調制御装置１２（ここでは、集中制御装置１００）が、エリアＳ２の空調を受け持つ室内ユニット３ｃ、３ｄの室内制御装置１３０ｂ、１３０ｄ及びエリアＳ２の換気を受け持つ換気装置６ｂの換気制御装置１６０ｂに冷媒排出運転を行うように指示する。ここで、換気制御装置１６０ｂへの冷媒排出運転の指示は、室内制御装置１３０ｃ、１３０ｄを介して行われる。
【００６８】
すると、室内制御装置１３０ｃ、１３０ｄは、室内膨張機構３１ｃ、３１ｄを閉止するとともに、室外ユニット２の室外制御装置１２０に対して空調運転（冷房運転や暖房運転）を停止するように指示する。室外制御装置１２０は、圧縮機２１や室外ファン２５を停止させ、これにより、空調装置１が停止する。また、換気制御装置１６０ｂは、換気運転を行っていない場合には、給気ファン６５ｂ及び排気ファン６７ｂを起動することで換気運転を開始し、換気運転を行っている場合には、換気運転を継続することによって、エリアＳ２から冷媒を排出する。ここで、換気制御装置１６０ｂへの冷媒排出運転の指示は、室内制御装置１３０ｃ、１３０ｄを介して行われる。
【００６９】
（３）現場設置後における空調装置と換気装置との間の通信系統の接続
上記の冷媒排出運転のような室内マルチ型の空調装置１と換気装置６ａ、６ｂとを連動させる運転は、両装置１、６ａ、６ｂ間の通信系統の接続が行われることで可能となるものである。言い換えれば、両装置１、６ａ、６ｂ間の通信系統の接続が行われていない場合には、互いに連動することはなく、各装置１、６ａ、６ｂを独立して運転できるだけ（すなわち、空調運転と換気運転とが独立して運転できるだけ）である。そして、室内マルチ型の空調装置１と換気装置６ａ、６ｂとが独立して選定・設置されることを考慮すると、上記のように、冷媒排出運転を行う構成を採用しようとしても、設置現場において、両装置１、６ａ、６ｂ間の通信系統の接続が確実になされない状況が発生するおそれがある。このため、室内マルチ型の空調装置１と換気装置６ａ、６ｂとが独立して設置される構成においては、冷媒が漏洩した際に換気装置６ａ、６ｂが運転される等の対策が確立しないままで空調装置１の運転が行われるおそれがあり、空調装置１からの冷媒の漏洩による事故が発生する可能性を排除することができないという問題がある。
【００７０】
そこで、ここでは、以下に説明するように、空調制御装置１２が、被空調空間の各エリア（ここでは、エリアＳ１、Ｓ２）に対応するエリア識別枠（ここでは、Ｇ１、Ｇ２）に室内ユニット３ａ、３ｂ、３ｃ、３ｄを割り振るとともに、室内ユニット３ａ、３ｂ、３ｃ、３ｄが割り振られた各エリア識別枠Ｇ１、Ｇ２に被空調空間の換気を行う換気装置６ａ、６ｂを割り振るエリア登録処理を行わせるように構成されている。しかも、空調制御装置１は、室内ユニット３ａ、３ｂ、３ｃ、３ｄが割り振られたエリア識別枠Ｇ１、Ｇ２のうち換気装置６ａ、６ｂの割り振りがなされていないエリア識別枠が存在する場合には、複数の室内ユニット３ａ、３ｂ、３ｃ、３ｄの運転を行えないようにしている。
【００７１】
以下、このような空調装置１と換気装置６ａ、６ｂとの間の通信系統の接続について、図７〜図１２を用いて説明する。ここで、図７は、現場設置後における各装置１、１１ａ、１１ｂ、６ａ、６ｂ間の通信系統の接続処理を示すフローチャートである。図８は、エリア登録処理を示すフローチャートである。図９は、エリア識別枠を作成する際の作業画面の表示例である。図１０は、エリア識別枠に各装置を割り振る際の作業画面の表示例である。図１１は、換気装置の割り振りがなされていないエリア識別枠が存在したままでエリア登録処理を終了しようとした際の作業画面の表示例である。図１２は、運転許可後のエリアと各装置との対応関係を示す図である。
【００７２】
−ユニット特定処理−
空調制御装置１２は、まず、ステップＳＴ１において、室内ユニット３ａ、３ｂ、３ｃ、３ｄ、換気装置６ａ、６ｂ、冷媒漏洩検知装置１１ａ、１１ｂのそれぞれに対して互いを区別するユニット番号を付与するユニット特定処理を行う。ここでは、「００」〜「０７」のユニット番号が、室内ユニット３ａ、３ｂ、３ｃ、３ｄ、換気装置６ａ、６ｂ、冷媒漏洩検知装置１１ａ、１１ｂに付与される。ユニット特定処理は、ここでは、主として、集中制御装置１００のユニット特定部１０７等によって行われる。そして、付与されたユニット番号は、装置の種別を示す機種コード（ここでは、空調装置１の室内ユニット３ａ、３ｂ、３ｃ、３ｄを示す「Ｕ１」、換気装置６ａ、６ｂを示す「Ｕ２」、冷媒漏洩検知装置１１ａ、１１ｂを示す「Ｕ３」）とともに、集中制御装置１００の集中記憶部１０３にすべて記憶される。また、各装置３ａ、３ｂ、３ｃ、３ｄ、６ａ、６ｂ、１１ａ、１１ｂの制御装置１３０ａ、１３０ｂ、１３０ｃ、１３０ｄ、１６０ａ、１６０ｂ、１１０ａ、１１０ｃの記憶部１３３ａ、１３３ｂ、１３３ｃ、１３３ｄ、１６３ａ、１６３ｂ、１１３ａ、１１３ｂにおいても、対応するユニット番号がそれぞれ記憶される。
【００７３】
−エリア登録処理−
次に、空調制御装置１２は、ステップＳＴ２において、被空調空間の所定のエリア（ここでは、エリアＳ１、Ｓ２）に対応するエリア識別枠（ここでは、Ｇ１、Ｇ２）に室内ユニット３ａ、３ｂ、３ｃ、３ｄを割り振るとともに、室内ユニット３ａ、３ｂ、３ｃ、３ｄが割り振られた各エリア識別枠Ｇ１、Ｇ２に被空調空間の換気を行う換気装置６ａ、６ｂを割り振るエリア登録処理を行わせる。また、ここでは、エリア登録処理において、換気装置６ａ、６ｂだけでなく、各エリア識別枠Ｇ１、Ｇ２に冷媒の漏洩を検知する冷媒漏洩検知装置１１ａ、１１ｂも割り振られる。ここでは、エリアＳ１に対応する「Ｇ１」のエリア識別枠に、室内ユニット３ａ、３ｂ、換気装置６ａ、冷媒漏洩検知装置１１ａが割り振られ、エリアＳ２に対応する「Ｇ２」のエリア識別枠に、室内ユニット３ｃ、３ｄ、換気装置６ｂ、冷媒漏洩検知装置１１ｂが割り振られる。エリア登録処理は、ここでは、主として、集中制御装置１００のエリア登録部１０８によって行われる。
【００７４】
具体的には、エリア登録処理は、ステップＳＴ１のユニット特定処理が行われた後に開始されるエリア準備モードにおいて行われる。
【００７５】
エリア準備モードが開始されると、まず、ステップＳＴ２１において、被空調空間の所定のエリアに対応するエリア識別枠の作成が行われる。ここでは、集中表示部１０５に表示されたエリア識別枠を作成する際の作業画面を参照しながら、集中操作部１０４を介した入力によって、エリア識別枠の作成が行われる。図９によれば、作業画面の「新規」ボタンを押すことで、作業画面上部にエリア名（ここでは、エリアＳ１、Ｓ２）の入力が可能な状態になり、ここにエリア名を入力すると、エリア識別枠（ここでは、Ｇ１、Ｇ２）が付与され、作業画面中央にエリア名とともにエリア識別枠が一覧できるように表示される。
【００７６】
次に、ステップＳＴ２２において、エリア識別枠への各装置の割り振りが行われる。ここでは、集中表示部１０５に選択表示されたエリア識別枠に各装置を割り振る際の作業画面を参照しながら、集中操作部１０４を介した入力によって、エリア識別枠への各装置の割り振りが行われる。図１０によれば、作業画面右寄りの割り振りがなされていない装置の一覧から装置を選択して「登録」ボタンを押すことで、作業画面に選択表示されたエリア識別枠（ここでは、エリアＳ１に対応するＧ１）に装置（ここでは、ユニット番号００、０１、０４、０６に対応する室内ユニット３ａ、３ｂ、換気装置６ａ、冷媒漏洩検知装置１１ａ）が割り振られ、作業画面左寄りに一覧できるように表示される。そして、作業画面右下の「ＯＫ」ボタンを押すことによって、選択表示されたエリア識別枠への各装置の割り振りを終了して、図９の作業画面に戻る。また、ここでは図示しないが、エリアＳ２に対応するエリア識別枠Ｇ２に対しても、図１０と同様の作業画面において、割り振りがなされていない装置の一覧から装置を選択して装置（ここでは、ユニット番号０２、０３、０５、０７に対応する室内ユニット３ｃ、３ｄ、換気装置６ｂ、冷媒漏洩検知装置１１ｂ）が割り振られる。尚、図９の作業画面から図１０の作業画面への切り替えは、集中表示部１０５に表示されるエリア識別枠を作成する際の作業画面（図９）において、装置の割り振りを行いたいエリア名（例えば、エリアＳ１）を選択した状態で「エリア登録」ボタンを押すことによって行われる。
【００７７】
次に、ステップＳＴ２３において、室内ユニットが割り振られた複数のエリア識別枠に換気装置の割り振りがなされているどうかを判断する。また、ここでは、換気装置だけでなく、冷媒漏洩検知装置の割り振りがなされているかどうかも判断する。ここでは、集中表示部１０５に表示されたエリア識別枠を作成する際の作業画面（図９）において、「終了」ボタンを押すことによって、この判断がなされる。
【００７８】
そして、ここでは、ステップＳＴ２２において、室内ユニット３ａ、３ｂが割り振られたエリアＳ１に対応する「Ｇ１」のエリア識別枠に、換気装置６ａ及び冷媒漏洩検知装置１１ａが割り振られ、かつ、室内ユニット３ｃ、３ｄが割り振られたエリアＳ２に対応する「Ｇ２」のエリア識別枠に、換気装置６ｂ及び冷媒漏洩検知装置１１ｂが割り振られている場合には、室内ユニットが割り振られた複数のエリア識別枠のすべてに換気装置の割り振りがなされているものと判断されて、エリア登録処理、すなわち、エリア準備モードを終了する。このとき、エリア登録部１０８によって得られた各装置とエリア識別枠との対応関係は、ユニット番号及び機種コードと関連付けたデータとして、集中記憶部１０３に記憶される（図１２参照）。また、各装置３ａ、３ｂ、３ｃ、３ｄ、６ａ、６ｂ、１１ａ、１１ｂの制御装置１３０ａ、１３０ｂ、１３０ｃ、１３０ｄ、１６０ａ、１６０ｂ、１１０ａ、１１０ｃの記憶部１３３ａ、１３３ｂ、１３３ｃ、１３３ｄ、１６３ａ、１６３ｂ、１１３ａ、１１３ｂにおいても、エリア登録部１０８によって割り振られたエリア識別枠がそれぞれ記憶される。さらに、室内記憶部１３３ａ、１３３ｂ、１３３ｃ、１３３ｄには、同じエリア識別枠に割り当てられた換気装置６ａ、６ｂ及び冷媒漏洩検知装置１１ａ、１１ｂのユニット番号及び機種コードも記憶される。その後、ステップＳＴ３において、ステップＳＴ３において、複数の室内ユニット３ａ、３ｂ、３ｃ、３ｄを有する空調装置１の運転が許可され、一連の各装置１、６ａ、６ｂ、１１ａ、１１ｂ間の通信系統の接続処理が終了する。
【００７９】
一方、ステップＳＴ２２において、室内ユニット３ａ、３ｂが割り振られたエリアＳ１に対応する「Ｇ１」のエリア識別枠に、換気装置６ａ及び冷媒漏洩検知装置１１ａが割り振られていない、又は、室内ユニット３ｃ、３ｄが割り振られたエリアＳ２に対応する「Ｇ２」のエリア識別枠に、換気装置６ｂ及び冷媒漏洩検知装置１１ｂが割り振られていない場合には、室内ユニットが割り振られた複数のエリア識別枠のうち換気装置の割り振りがなされていないエリア識別枠が存在するものと判断されて、エリア登録処理、すなわち、エリア準備モードを終了できないようにする。例えば、エリアＳ２（エリア識別枠Ｇ２）に換気装置６ｂが割り振られていない場合には、図１１に示すように、集中表示部１０５に表示されたエリア識別枠を作成する際の作業画面において、「終了」ボタンを押した際に、その旨を示すエラーメッセージを表示して、エリア登録処理、すなわち、エリア準備モードを終了できないようにすることができる。これにより、室内ユニットが割り振られた複数のエリア識別枠のうち換気装置の割り振りがなされていないエリア識別枠が存在する限り、ステップＳＴ３の運転許可がなされず、複数の室内ユニット３ａ、３ｂ、３ｃ、３ｄを有する空調装置１の運転を行えないようにできる。
【００８０】
このように、ここでは、室内マルチ型の空調装置１を構成する複数の室内ユニット３ａ、３ｂ、３ｃ、３ｄを被空調空間の所定のエリアＳ１、Ｓ２ごとに割り振るエリア登録処理において、各エリアＳ１、Ｓ２に対応するエリア識別枠Ｇ１、Ｇ２に室内ユニット３ａ、３ｂ、３ｃ、３ｄを割り振る処理だけでなく、室内ユニット３ａ、３ｂ、３ｃ、３ｄが割り振られた各エリア識別枠Ｇ１、Ｇ２に換気装置６ａ、６ｂを割り振る処理が行われるようになっている。このため、ここでは、換気装置６ａ、６ｂの割り振りがなされていないエリア識別枠Ｇ１、Ｇ２が存在しない状態を確立することができ、設置現場において、空調装置１と換気装置６ａ、６ｂとの間の通信系統の接続が確実になされるようになっている。
【００８１】
これにより、ここでは、室内マルチ型の空調装置１と換気装置６ａ、６ｂとが独立して設置される構成においても、冷媒が漏洩した際に換気装置６ａ、６ｂが運転される等の対策が確実に確立した状態で空調装置１の運転を行うことができ、空調装置１からの冷媒の漏洩による事故の発生を確実に抑えることができる。
【００８２】
また、ここでは、エリア準備モードにおいて、室内ユニット３ａ、３ｂ、３ｃ、３ｄが割り振られた複数のエリア識別枠Ｇ１、Ｇ２のうち換気装置６ａ、６ｂの割り振りがなされていないエリア識別枠が存在する場合には、エリア準備モードを終了できないようにしている。このため、ここでは、空調運転を行う前に、エリア登録処理が確実に行われるようにして、冷媒が漏洩した際に換気装置６ａ、６ｂが運転される等の対策が確実に確立した状態にすることができる。
【００８３】
また、ここでは、空調制御装置１２のうち集中制御装置１００がエリア登録処理を行わせるように構成されている。このため、ここでは、エリア識別枠Ｇ１、Ｇ２ごとに制御指令を行う、すなわち、エリア制御を行う集中制御装置１００を介して、設置現場において、空調装置１と換気装置６ａ、６ｂとの間の通信系統の接続が確実になされるようにできる。
【００８４】
（４）変形例
＜Ａ＞
上記実施形態では、室内ユニット３ａ、３ｂ、３ｃ、３ｄとして、天井設置型のものが採用されているが、これに限定されるものではなく、例えば、壁設置、壁裏設置、床上設置、床下設置、天井裏設置、機械室設置等の他の型式の室内ユニットであってもよい。
【００８５】
＜Ｂ＞
上記実施形態では、換気装置６ａ、６ｂとして、天井裏設置型のものが採用されているが、これに限定されるものではなく、例えば、壁裏設置、床下設置、機械室設置等の他の型式の換気装置であってもよい。また、上記実施形態では、換気装置６ａ、６ｂとして、全熱交換器６２ａ、６２ｂを有する型式のものが採用されているが、これに限定されるものではなく、例えば、ファンのみを有するもの等の他の型式の換気装置であってもよい。
【００８６】
＜Ｃ＞
上記実施形態では、各制御装置間が通信線を介して接続された有線通信接続が採用されているが、これに限定されるものではなく、無線通信等の他の形式の通信接続であってもよい。
【００８７】
＜Ｄ＞
上記実施形態では、冷媒漏洩検知装置１１ａ、１１ｂが室内ユニット３ａ、３ｂ、３ｃ、３ｄ（具体的には、室内制御装置１３０ｂ、１３０ｄ）に接続されているが、これに限定されるものではなく、換気装置６ａ、６ｂ（具体的には、換気制御装置１６０ａ、１６０ｂ）に接続されていてもよい。
【００８８】
＜Ｅ＞
上記実施形態では、冷媒漏洩検知装置１１ａ、１１ｂが被空調空間のエリアＳ１、Ｓ２に設けられているが、これに限定されるものではなく、例えば、室内ユニット３ａ、３ｂ、３ｃ、３ｄや換気装置６ａ、６ｂに設けられていてもよい。
【００８９】
＜Ｆ＞
上記実施形態では、冷媒排出運転の要否を集中制御装置１００が判断しているが、これに限定されるものではなく、室内制御装置１３０ａ、１３０ｂ、１３０ｃ、１３０ｄが判断するようにしてもよい。
【００９０】
＜Ｇ＞
上記実施形態では、集中制御装置１００が被空調空間のエリアＳ２に設けられているが、空調対象の建物内の別の空間に設けられていてもよいし、空調対象の建物外等の遠隔地に設けられていてもよい。
【００９１】
＜Ｈ＞
上記実施形態では、空調装置１をエリアＳ１、Ｓ２（エリア識別枠Ｇ１、Ｇ２）ごとに制御するために集中制御装置１００が設けられているが、各室内ユニット３ａ、３ｂ、３ｃ、３ｄに対応してリモコンが設けられる場合には、これらのリモコンの一つを集中制御装置１００として機能させるようにしてもよい。
【００９２】
＜Ｉ＞
上記実施形態では、空調装置１（具体的には、室内ユニット３ａ、３ｂ、３ｃ、３ｄ）と換気装置６ａ、６ｂとの間の通信が、室内制御装置１３０ａ、１３０ｂ、１３０ｃ、１３０ｄと換気制御装置１６０ａ、１６０ｂとの直接接続によって行われるようになっているが、これに限定されるものではない。例えば、室内制御装置１３０ａ、１３０ｂ、１３０ｃ、１３０ｄと換気制御装置１６０ａ、１６０ｂとを直接接続で通信できない場合には、図１３に示すように、換気制御装置１６０ａ、１６０ｂに、室内ユニット３ａ、３ｂ、３ｃ、３ｄと換気装置６ａ、６ｂとの間の通信を可能にするアダプタ装置１６５ａ、１６５ｂを接続してもよい。この場合には、アダプタ装置１６５ａ、１６５ｂのアダプタ通信部１６７ａ、１６７ｂが集中制御装置１００や室内制御装置１３０ａ、１３０ｂ、１３０ｃ、１３０ｄとの間の通信を行い、アダプタ記憶部１６８ａ、１６８ｂがユニット番号やエリア識別枠の値を記憶し、アダプタ制御部１６６ａ、１６６ｂが換気制御装置１６０ａ、１６０ｂに運転指令等を行うことになる。尚、図１３においては、アダプタ装置１６５ｂの各部１６６ｂ、１６７ｂ、１６８ｂの図示を省略している。
【００９３】
＜Ｊ＞
上記実施形態では、ユニット番号やユニット番号やエリア識別枠、機種コードの値として、「００」や「Ｇ１」、「Ｕ１」のような数字や記号を使用しているが、これに限定されるものではなく、具体的な名称を示す文字列等であってもよい。
【００９４】
＜Ｋ＞
上記実施形態では、エリア登録処理が図９〜図１１に示すような作業画面を通じて行われるようになっているが、これに限定されるものではない。
【００９５】
また、上記実施形態では、エリア識別枠への各装置の割り振り作業を、室内ユニット３ａ、３ｂ、３ｃ、３ｄ及び換気装置６ａ、６ｂと一緒に行うようにしているが、これに限定されるものではない。例えば、ガイダンスにしたがって、各エリア識別枠に室内ユニット３ａ、３ｂ、３ｃ、３ｄを割り振らせた後に換気装置６ａ、６ｂを割り振らせる等のように、装置の種別ごとに行うようにしてもよい。
【産業上の利用可能性】
【００９６】
本発明は、冷媒が循環する冷媒回路を構成しており被空調空間の空調を行う複数の室内ユニットと、複数の室内ユニットを被空調空間の所定のエリアごとに割り振って複数の室内ユニットの運転制御を行う空調制御装置と、を有する空調装置に対して、広く適用可能である。
【符号の説明】
【００９７】
１                                      空調装置
１ａ                                    冷媒回路
３ａ、３ｂ、３ｃ、３ｄ                  室内ユニット
６ａ、６ｂ                              換気装置
１２                                    空調制御装置
１００                                  集中制御装置
１３０ａ、１３０ｂ、１３０ｃ、１３０ｄ  室内制御装置
【先行技術文献】
【特許文献】
【００９８】
【特許文献１】特開２００１−７４２８３号公報
【図１】
0006497195.tif 000002
【図２】
0006497195.tif 000003
【図３】
0006497195.tif 000004
【図４】
0006497195.tif 000005
【図５】
0006497195.tif 000006
【図６】
0006497195.tif 000007
【図７】
0006497195.tif 000008
【図８】
0006497195.tif 000009
【図９】
0006497195.tif 000010
【図１０】
0006497195.tif 000011
【図１１】
0006497195.tif 000012
【図１２】
0006497195.tif 000013
【図１３】
0006497195.tif 000014